(57)【特許請求の範囲】
【請求項１】
少なくとも回路基板、発光素子、導光板、拡散板、偏光板、ＦＰＣ、半透過反射シートを備え、発光素子を導光板の主面片側に搭載し、当該導光板を回路基板の上面に立てるように搭載し、前記発光素子と前記回路基板とをＦＰＣで接続し、前記導光板の前記発光素子が設けられた主面とは対向する側の主面に拡散板および偏光板を配置し、当該拡散板および当該偏光板が配置された前記導光板の主面より出射される前記発光素子の光を前記回路基板の上面に入射させるように半透過反射シートを配置したことを特徴とする反射型液晶用フロントライト。
【請求項２】
前記導光板が前記拡散板を兼ねていることを特徴とする請求項１に記載の反射型液晶用フロントライト。
【請求項３】
前記拡散板と前記偏光板との間にレンズシートを配置したことを特徴とする請求項１、又は２に記載の反射型液晶用フロントライト。
【請求項４】
少なくとも前記回路基板、発光素子、導光板、拡散板、偏光板、半透過反射シートを位置決め固定する筐体を有し、前記回路基板、発光素子、導光板、拡散板、偏光板、半透過反射シートを単体又は組み合わせて前記筐体に組み込めることを特徴とする請求項１、２、又は３に記載の反射型液晶用フロントライト。
【請求項５】
少なくとも回路基板、発光素子、導光板、拡散板、偏光板、ＦＰＣ、半透過反射シート、反射型液晶パネルを備え、発光素子を導光板の主面片側に搭載し、当該導光板を回路基板の上面に立てるように搭載し、当該回路基板の上面に反射型液晶パネルを表示面を上にして搭載し、前記発光素子と前記回路基板とをＦＰＣで接続し、前記導光板の前記発光素子が設けられた主面とは対向する側の主面に拡散板および偏光板を配置し、当該拡散板および当該偏光板が配置された前記導光板の主面より出射される前記発光素子の光を前記反射型液晶パネルの表示面に入射させるように半透過反射シートを配置したことを特徴とする反射型液晶表示装置。
【請求項６】
前記導光板が前記拡散板を兼ねていることを特徴とする求項５に記載の反射型液晶表示装置。
【請求項７】
前記拡散板と前記偏光板との間にレンズシートを配置したことを特徴とする請求項５、又は６に記載の反射型液晶表示装置。
【請求項８】
少なくとも前記回路基板、発光素子、導光板、拡散板、偏光板、半透過反射シートを位置決め固定する筐体を有し、前記回路基板、発光素子、導光板、拡散板、偏光板、半透過反射シートを単体又は組み合わせて前記筐体に組み込めることを特徴とする請求項５、６、又は７に記載の反射型液晶表示装置。
【発明の詳細な説明】
【０００１】
【発明の属する技術分野】
本発明は、反射型液晶用フロントライト、及び反射型液晶用フロントライトを有する反射型液晶表示装置に関するものである。
【０００２】
【従来の技術】
液晶表示装置は小型軽量な表示装置として多用されている。小型ビデオカメラにおいても電子ビューファインダーとして使われているが、従来使用されている液晶ビューファインダーは透過型液晶表示装置であった。
【０００３】
【発明が解決しようとする課題】
本発明は反射型液晶用フロントライトを有する反射型液晶表示装置に関するものであり、液晶表示パネルの表示面側から液晶表示パネルに照明光を投射しなければならない。
【０００４】
【課題を解決するための手段】
【０００５】
少なくとも回路基板、発光素子、導光板、拡散板、偏光板、ＦＰＣ、半透過反射シートを備え、発光素子を導光板の主面片側に搭載し、当該導光板を回路基板の上面に立てるように搭載し、前記発光素子と前記回路基板とをＦＰＣで接続し、前記導光板の前記発光素子が設けられた主面とは対向する側の主面に拡散板および偏光板を配置し、当該拡散板および当該偏光板が配置された前記導光板の主面より出射される前記発光素子の光を前記回路基板の上面に入射させるように半透過反射シートを配置した反射型液晶用フロントライトとする。
【０００６】
前記導光板が前記拡散板を兼ねている反射型液晶用フロントライトとする。
【０００７】
前記拡散板と前記偏光板との間にレンズシートを配置した反射型液晶用フロントライトとする。
【０００８】
少なくとも前記回路基板、発光素子、導光板、拡散板、偏光板、半透過反射シートを位置決め固定する筐体を有し、前記回路基板、発光素子、導光板、拡散板、偏光板、半透過反射シートを単体又は組み合わせて前記筐体に組み込める反射型液晶用フロントライトとする。
【０００９】
少なくとも回路基板、発光素子、導光板、拡散板、偏光板、ＦＰＣ、半透過反射シート、反射型液晶パネルを備え、発光素子を導光板の主面片側に搭載し、当該導光板を回路基板の上面に立てるように搭載し、当該回路基板の上面に反射型液晶パネルを表示面を上にして搭載し、前記発光素子と前記回路基板とをＦＰＣで接続し、前記導光板の前記発光素子が設けられた主面とは対向する側の主面に拡散板および偏光板を配置し、当該拡散板および当該偏光板が配置された前記導光板の主面より出射される前記発光素子の光を前記反射型液晶パネルの表示面に入射させるように半透過反射シートを配置した反射型液晶表示装置とする。
【００１０】
前記導光板が前記拡散板を兼ねている反射型液晶表示装置とする。
【００１１】
前記拡散板と前記偏光板との間にレンズシートを配置した反射型液晶表示装置とする。
【００１２】
少なくとも前記回路基板、発光素子、導光板、拡散板、偏光板、半透過反射シートを位置決め固定する筐体を有し、前記回路基板、発光素子、導光板、拡散板、偏光板、半透過反射シートを単体又は組み合わせて前記筐体に組み込める反射型液晶表示装置とする。
【００１３】
【発明の実施の形態】
図１は本発明の反射型液晶表示装置の一実施形態を示すものでＡは正面断面図、Ｂは上面図である。回路基板１の上面に液晶パネル２と一端部に発光素子３が搭載されたＦＰＣ１３の他端部が固定されている。さらに液晶パネル２の周囲を囲む基台４が固定されている。回路基板１にＦＰＣ１３が固定された部分の上部に位置する基台４の部分は凹部４ｄになっている。また、基台４には３つのガイドピン４ａ、４ｂ、４ｃが備えられており、ガイドピンにより筐体５が位置決め固定されている。筐体５の一側面には凹部５ａが形成されており、筐体５の内側からみて、偏光板６、拡散板７、導光体８、反射板（反射枠）９が組み込まれている。導光板８は回路基板１に立てるように組み込まれ（本実施形態では基台の上部であるが回路基板１に直接立てる構造もとりうる）ている。液晶パネル２の上部に位置する筐体５の部分は空洞になっており、その上部は開放されている。図１（Ａ）で示したように筐体５を正面から見ると筐体５の上面は左下がりの斜面に形成されており、斜面部５ｂには空洞部を覆うように半透過反射シート１０が組み込まれている。半透過反射シート１０は反射シート１０ａと偏光板１０ｂの積層板である。導光板８には発光素子３を収納する凹部８ａが形成されている。
【００１４】
図２は本発明の反射型液晶表示装置の他の実施形態を示すもので分解斜視図である。図１の構成と異なるのは偏光板６と拡散板７の間にレンズシート１１を配置した点であり、半透過反射シートは図示していない。符号は図１と共通である。
導光板８と反射板（反射枠）９は一体化してあるが、その他の構成部品は筐体５に個々に組立てられる構造としてある。拡散板６、レンズシート１１、拡散板７は導光板８と一緒に反射枠９の中に組み込み一体化しておいてもよい。また、導光板８内に光を拡散する微粒子等を分散混入しておくと拡散板を省略することができる。ＦＰＣ１３の先端に搭載されている発光素子３はＦＰＣ１３を折り曲げることにより図１（Ａ）に示すように導光板８に形成された凹部８ａに収納される。
【００１５】
図３は図１と同じ図で、本発明の反射型液晶表示装置の一実施形態を示すものでＡは正面断面図、Ｂは上面図である。反射型液晶表示装置は図中に示す目１２方向から画像を見るものである。発光素子３からの光（矢印１）は導光板８の外面から導光板８に導入される。導入された光は導光板８の内側面の前面に配置された拡散板７で拡散され、偏光板６を透過した直線偏光光（以下Ｐ波という）だけが矢印２の方向に進む。半透過反射シート１０はＰ波を反射するものであり、半透過反射シート１０で反射されたＰ波は矢印３に進み反射型液晶パネル２に入射するように半透過反射シート１０が曲率をもって（または斜めに）に配置されている。
【００１６】
反射型液晶パネル２は電源オフ状態でＰ波がそのまま液晶を通過するように配置してあり、反射型液晶パネル２で反射されたＰ波は矢印４方向に進む。半透過反射シート１０の偏光板１０ｂはＰ波を透過しない状態に配置してあり、電源オフ状態では黒表示状態となっている。
【００１７】
反射型液晶パネル２の電源オン状態ではＰは液晶で偏光され、反射型液晶パネル２で偏光されて反射された偏光光は矢印４方向に進む。半透過反射シート１０の偏光板１０ｂは電源オン状態で反射された光を透過する状態に配置されているので、電源オン状態では白表示状態となっている。
【００１８】
偏光板の偏光方向と反射型液晶パネルの配置・組み合せは反射型液晶パネルにより適宜選定される。
【００１９】
レンズシートは拡散板からの光を集光し輝度を向上させるためのものである。
【００２０】
【発明の効果】
回路基板に反射型液晶パネルとを搭載し、その上に筐体にフロントライトを構成する部品を組み込んだフロントライトユニットを搭載するので、小型で構成部品の少ないフロンライト及びそれを使用した反射型液晶表示装置が得られる。前記の実施形態では一番大きい基板の外形が１５mm×１７mmである。このような小型・軽量な液晶表示装置は小型ビデオカメラのビューファインダーとして使用するには最適な表示装置である。
【００２１】
拡散板と偏光板の間にレンズシートを配置することで輝度を上げることができ、同じ輝度であれば、低消費電力のフロントライトが得られる。
【００２２】
導光板に拡散機能を持たせることで拡散板を省略することができる。
【００２３】
フロントライトの構成部品を筐体に個々に組み込み取り外しができる構造としたので、製造時やメインテナンス時の部品交換が容易であり、フロントライト部のみを交換することも可能である。
【図面の簡単な説明】
【図１】本発明の反射型液晶表示装置の一実施形態を示すものでＡは正面断面図、Ｂは上面図
【図２】本発明の反射型液晶表示装置の他の実施形態を示すもので分解斜視図
【図３】本発明の反射型液晶表示装置の一実施形態を示すものでＡは正面断面図、Ｂは上面図
【符号の説明】
１      回路基板
２      反射型液晶パネル
３      発光素子
４      台座
４ａ    ガイドピン
４ｂ    ガイドピン
４ｃ    ガイドピン
４ｄ    凹部
５      筐体
５ａ    筐体の凹部
５ｂ    斜面部
６      偏光板
７      拡散板
８      導光板
８ａ    導光板に設けられた発光素子収納用凹部
９      反射板
１０    半透過反射シート
１０ａ  反射シート
１０ｂ  偏光板
１１    レンズシート
１２    目
１３    ＦＰＣ
【図１】
0003596386.tif 000002
【図２】
0003596386.tif 000003
【図３】
0003596386.tif 000004